(57)【要約】【課題】サクション部内での残水が凍結した際にもサクション部の破損を防ぐことのできるジェットバスのサクション部の構造を提供する。【解決手段】浴槽１内に開口した吸い込み口２から分岐して２つの接続口３に至る略Ｔ字路状の分岐水路４を有する。一方の接続口３ａにジェットバス装置の水路９を接続すると共に、他方の接続口３ｂに止水蓋６を被着して閉塞する。上記一方の接続口３ａと吸い込み口２との開閉を行う開閉弁５を分岐水路４の分岐点に配置する。止水蓋６に所定の内圧がかかったときに該内圧を逃し得る圧力逃し機構７を備えた。【選択図】        図１
2004173863.tif 000002
【特許請求の範囲】
【請求項１】
浴槽内に開口した吸い込み口から分岐して２つの接続口に至る略Ｔ字路状の分岐水路を有し、一方の接続口にジェットバス装置の水路を接続すると共に、他方の接続口に止水蓋を被着して閉塞し、上記一方の接続口と吸い込み口との開閉を行う開閉弁を分岐水路の分岐点に配置して成るジェットバスのサクション部の構造において、止水蓋に所定の内圧がかかったときに該内圧を逃し得るようにした圧力逃し機構を備えたことを特徴とするジェットバスのサクション部の構造。
【請求項２】
板状の蓋本体部の外縁から筒状のフランジ部を突設して止水蓋をシャーレ状に形成し、この止水蓋を、他方の接続口の外縁にフランジ部を重ねると共に蓋本体部と他方の接続口とを対向配置させて他方の接続口に被着するようにし、上記圧力逃し機構を、蓋本体部の内面を覆うように設けた隔壁と蓋本体部の内面に凹設した空間部とで構成し、隔壁を所定の内圧が負荷したときに形状変形するようにし、空間部を形状変形した隔壁が収納されるようにしたことを特徴とする請求項１記載のジェットバスのサクション部の構造。
【発明の詳細な説明】
【０００１】
【発明の属する技術分野】
本発明は、ジェットバス（気泡発生浴槽）における、浴槽の浴水を吸い込むサクション部の構造に関し、詳しくは、サクション部内で残水が凍結した際にもサクション部の破損を防ぐ技術に関する発明である。
【０００２】
【従来の技術】
従来から、ジェットバス（気泡発生浴槽）における浴槽１の浴水を吸い込むサクション部の構造は、吸い込み口２と接続口３とを連通させた水路をサクションボックス８に備え、吸い込み口２を浴槽１内に開口させてサクションボックス８を配設し、接続口３にポンプを備えたジェットバス装置の水路９を接続させて構成されている。ここで、吸い込み口２にあっては通常、サクションカバー２５が被着されており、誤ってタオルや体の一部などが上記吸い込み口２からサクションボックス８内に吸入されるといった恐れを無くするようにされている。
【０００３】
このようなジェットバスのサクション部の構造としては、たとえば図７に示すものがある。これは、浴槽１の左右勝手に対応させてサクションボックス８を適宜取付けできるようにした例である。つまり、このサクションボックス８には、吸い込み口２から分岐して２つの接続口３に至る分岐水路４が備えられている。浴槽１の周縁部分にはジェットバス装置にかかる水路９が配設されており、そして、このサクションボックス８を用いることで、ジェットバス装置の水路９の配設パターンに合わせて、２つの接続口３のうちの一方の接続口３ａに該ジェットバス装置の水路９を接続させることができるのであり、サクションボックス８の汎用性を向上させて施工性の向上を図っているのである。なお、ジェットバス装置の水路９が接続されない他方の接続口３ｂには、止水蓋６が被着されてシールがなされている（たとえば、特許文献１参照）。
【０００４】
また、ジェットバスにあっては、ジェットバスの入切や強弱操作を浴槽１内の入浴者によって簡単に行えるようにしたい、といった要望がある。これを可能にするものとして、たとえば図８に示すジェットバスのサクション部の構造がある。このサクション部の構造にあっては、吸い込み口２と接続口３とを連通する水路４０をサクションボックス８にＬ字状に形成し、この水路４０内に吸い込み口２と接続口３との開閉を行う開閉弁５としてのシリンダ１８を回転自在に配置し、このシリンダ１８の内部を吸い込み口２と連通させ、このシリンダ１８の周面に内外に貫通する水路開閉孔１９を穿孔し、シリンダ１８を回転させることで水路開閉孔１９と接続口３とが重なって連通されるようにし、また、サクションカバー２５をサクションボックス８に対して回転自在に取付け、このサクションカバー２５とシリンダ１８とを一体に連結し、サクションカバー２５を廻すことでシリンダ１８を共に回転させ得るようにして構成されている。すなわち、この構造によると、浴槽１内の入浴者は、サクションカバー２５を廻すといった簡単操作で、水路開閉孔１９と接続口３との連通操作が行え、ジェットバスの入切及び強弱の操作、調整ができるようになっている。
【０００５】
【特許文献１】
特開平９−１８２６８１号公報
【０００６】
【発明が解決しようとする課題】
しかして、図７及び図８に示すジェットバスのサクション部の構造のそれぞれの利点を得るように、図７のジェットバスのサクション部の構造に、図８にある開閉弁５の構成を採用することが考えられる。つまり、サクションカバー２５と共に回転するシリンダ１８を分岐水路４の分岐点に回転自在に配置するのである。
【０００７】
しかしながら、このサクションカバー２５と共に回転するシリンダ１８を分岐水路４の分岐点に回転自在に配置した場合には、サクションボックス８に流れる浴水の勢いなどによってシリンダ１８と分岐水路４の周壁との間から、止水蓋６を被着した他方の接続口３ｂ側にも浴水が沁み出してしまう。時間の経過とともにシリンダ１８と分岐水路４の周壁との間から沁み出した浴水は、他方の接続口３ｂ内に一杯に溜められた状態になる。なお、浴槽１から浴水を抜き、吸い込み口２から一方の接続口３ａに至る分岐水路４内を浴水の無い状態にさせた場合には、シリンダ１８や分岐水路４には浴水の圧力などはかからないため、シリンダ１８と分岐水路４の周壁とはある程度の密閉性を保つことができる。つまり、浴槽１から浴水を抜いても、他方の接続口３ｂ内に溜まった浴水は抜けないといったことが生じる。
【０００８】
そして、この他方の接続口３ｂ内に残留した浴水は、冬季の冷え込みの厳しい日などには凍結してしまうことがある。凍結によって浴水の体積が膨張すると、他方の接続口３ｂを塞ぐ止水蓋６を内側から押圧し、この止水蓋６ひいては他方の接続口３ｂを構成するサクションボックス８を破損させたりするといった問題が生じてしまうのであった。
【０００９】
本発明は上記の点に鑑みてなされたものであり、サクション部内での残水が凍結した際にもサクション部の破損を防ぐことのできるジェットバスのサクション部の構造を提供することを課題とするものである。
【００１０】
【課題を解決するための手段】
上記課題を解決するために本発明に係るジェットバスのサクション部の構造は、浴槽１内に開口した吸い込み口２から分岐して２つの接続口３に至る略Ｔ字路状の分岐水路４を有し、一方の接続口３ａにジェットバス装置の水路９を接続すると共に、他方の接続口３ｂに止水蓋６を被着して閉塞し、上記一方の接続口３ａと吸い込み口２との開閉を行う開閉弁５を分岐水路４の分岐点に配置して成るジェットバスのサクション部の構造において、止水蓋６に所定の内圧がかかったときに該内圧を逃し得る圧力逃し機構７を備えたことを特徴とする。
【００１１】
これによると、止水蓋６を被着した他方の接続口３ｂと吸い込み口２とを開閉弁５で遮断した場合、分岐水路４を通る浴水の水圧がかかった状態では、開閉弁５と分岐水路４との微小隙間を通って他方の接続口３ｂに浴水が侵入してしまい、その後、浴槽１から浴水を抜いたりして分岐水路４に浴水の水圧がかからない状態になったときには、開閉弁５によって上記浴水が分岐水路４側に抜けずに他方の接続口３ｂに溜まってしまうものであり、この他方の接続口３ｂに溜まった浴水は冬季などには凍結して膨張してしまい、止水蓋６には浴水の体積膨張によって上昇した内圧が負荷されるものであるが、膨張した浴水による止水蓋６に負荷する内圧が所定の大きさに達した場合には、圧力逃し機構７によって上記内圧を逃すことができて止水蓋６や他方の接続口３ｂなどにかかる内圧を緩和できるのであり、止水蓋６や接続口３などの破損防止を図ることができる
また、板状の蓋本体部３４の外縁から筒状のフランジ部３５を突設して止水蓋６をシャーレ状に形成し、この止水蓋６を、他方の接続口３ｂの外縁にフランジ部３５を重ねると共に蓋本体部３４の内面と他方の接続口３ｂとを対向配置させて他方の接続口３ｂに被着するようにし、止水蓋６の圧力逃し機構７を、蓋本体部３４の内面を覆うように設けた隔壁３６と蓋本体部３４の内面に凹設した空間部３７とで構成し、隔壁３６を所定の内圧が負荷したときに形状変形するようにし、空間部３７を形状変形した隔壁３６が収納されるようにしたことも好ましい。
【００１２】
これによると、圧力逃し機構７を止水蓋６に備えることができ、接続口３側には何らの構成をも付加させずに済み、サクション部の構成の複雑化を回避することができる。
【００１３】
【発明の実施の形態】
以下、本発明を添付図面に示す実施形態に基づいて説明する。ジェットバス（気泡発生浴槽）のサクション部は、浴槽１の浴水がジェットバス装置のポンプによって吸い込まれる部位である。このサクション部は、主体を構成するサクションボックス８を浴槽１の側壁１ａに取付け、サクションボックス８内に設けた水路にジェットバス装置のポンプに連通する水路９を接続して構成される。本例のサクションボックス８は、図１に示すように、１つの吸い込み口２と２つの接続口３とを有し、この吸い込み口２と２つの接続口３とを連通する分岐水路４を有して形成されている。分岐水路４は、断面円状で、１つの吸い込み口２から分岐して２つの接続口３へと至るように略Ｔ字路状に形成されている。
【００１４】
吸い込み口２があるサクションボックス８の端部（以下、吸い込み口側端部と称する）における外周部位には、手前側に鍔部１０が全周に亙って突設され、鍔部１０よりも端部側に雄ねじ部１１が刻設されており、またその内周部位には、手前側に内径を狭めてなる段部１２が形成されており、段部１２よりも端部側に雌ねじ部１３が刻設されている。また、接続口３があるサクションボックス８の端部（以下、接続口側端部と称する）における外周部位には、ジェットバス装置の水路９を接続させるための雄ねじ部１４が刻設されている。
【００１５】
このサクションボックス８を浴槽１の側壁１ａに取付けるには、浴槽１の側壁１ａに貫通するように穿孔した取り付け孔１５にサクションボックス８の吸い込み口側端部を挿通し、この吸い込み口側端部の雄ねじ部１１に締め付けナット１６を螺合し、締め付けナット１６を締め付けることで締め付けナット１６と鍔部１０との間に浴槽１の側壁１ａを挟持させることで行われる。このとき、サクションボックス８の外周で鍔部１０と締め付けナット１６との間に断面Ｕ字状のシールパッキン１７を全面に亙って介装することが行われ、浴槽１の側壁１ａにサクションボックス８を水密的に取り付け得るようにしている。
【００１６】
そして、上記のようにサクションボックス８を浴槽１の側壁１ａに取付けたときには、吸い込み口２を浴槽１内に向け且つ２つの接続口３を水平方向の左右逆方向に向けるようにして、サクションボックス８は横向きに取付けられる。この２つの接続口３にあっては、現場毎に選択した一方の接続口３ａにジェットバス装置のポンプに連通する水路９を接続する。従来技術でも述べたが、このようにサクションボックス８に２つの接続口３を備え、一方の接続口３ａにジェットバス装置の水路９を接続するようにしておくと、施工現場で異なるジェットバス装置の水路９の配設パターンに合った方の接続口３を選んで、この接続口３にジェットバス装置の水路９を接続することができ、つまり、ジェットバス装置のポンプの設置位置などに関わらず、浴槽１の左右勝手に対応可能にした状態でサクションボックス８を浴槽１に取付けできる、といった施工上の利点を有するのである。なお、ジェットバス装置の水路９が接続されない他方の接続口３ｂには、止水蓋６が被着されてシールがなされる。
【００１７】
このサクションボックス８内には開閉弁５を構成するシリンダ１８を回転自在に内装する。このシリンダ１８は、外径がサクションボックス８の分岐水路４の内径よりもやや小さい径にされた有底筒状体であり、その筒側面には内外に貫通する水路開閉孔１９が開口され、その筒底面には径方向に穿設された回転規制凹部２０が形成されて構成されている。このシリンダ１８をサクションボックス８内に内装するには、シリンダ１８の筒開口をサクションボックス８の吸い込み口２に臨ませるようにして吸い込み口２からサクションボックス８の分岐水路４内に挿入し、サクションボックス８の吸い込み口２に円環状のシリンダ押さえ２１を配置し、その外側から２重に押さえナット２２，２２を雌ねじ部１３に締め付けることで、サクションボックス８からのシリンダ１８の抜け落ちを防いでサクションボックス８の分岐水路４の分岐点にシリンダ１８を配設させるように行われる。詳述すると、シリンダ押さえ２１は段部１２に係止されて位置決め配置が為されるのであり、２つの押さえナット２２、２２は、ダブルナット構造で緩まないようにされてシリンダ押さえ２１を固定している。また、サクションボックス８の分岐水路４の分岐点における内壁には、分岐点と接続口３とを連通させる連通孔２３が２つの接続口３毎にそれぞれ形成されている。そして、サクションボックス８内でシリンダ１８を回転させ、水路開閉孔１９を上記連通孔２３と合致して連通状態とすることで、吸い込み口２と接続口３とを連通した状態にさせ得るようになっている。なお、水路開閉孔１９は連通孔２３と略同じ開口面積の孔に形成されており、選択した一方の連通孔２３のみを開閉できるようにされている。
【００１８】
上記のようにサクションボックス８内に内装したシリンダ１８は回転自在にされているが、シリンダ１８の筒底面と対向するサクションボックス８の分岐水路４の内壁に突設された回転規制突起２４がシリンダ１８の回転規制凹部２０に挿入されており、回転規制突起２４に対して回転規制凹部２０が摺動できる範囲の角度だけシリンダ１８が回転するように、シリンダ１８の回転規制が為されている。本例のシリンダ１８の回転可能範囲は、止水蓋６で閉塞される他方の接続口３ａと吸い込み口２とは常に閉塞状態にされ、ジェットバス装置の水路９が接続される一方の接続口３ａと吸い込み口２とを水路開閉孔１９によって開閉できる範囲に設定されている。また、摺接する回転規制突起２４と回転規制凹部２０との間には、クリック用の当りとなるクリック突起（図示せず）、上記クリック突起が嵌り込むクリック凹部（図示せず）が適所に設けてある。上記適所とは、回転したシリンダ１８の水路開閉孔１９が一方の接続口３ａに至る連通孔２３を全開状態にする位置、水路開閉孔１９が該連通孔２３を全閉状態にする位置に設定されている。しかして、シリンダ１８を回転させると、適度なクリック感を伴ってクリック突起がクリック凹部に嵌り込み、吸い込み口２と一方の接続口３ａとを連通させたり、吸い込み口２と該接続口３ａとを遮断させたりできるようになっている。
【００１９】
サクションボックス８の吸い込み口２を覆うサクションカバー２５は、シャーレ状に形成されて該吸い込み口２を覆うカバー本体部２６と、このカバー本体部２６から突設された筒状の嵌め込み筒部２７とで構成されている。カバー本体部２６にはその全面に通水孔２８が穿孔されており、この通水孔２８には髪の毛やゴミなどを捕捉する網２９が装着されている。また、嵌め込み筒部２７には、筒内外に貫通する通水孔３０が穿設され、その外周には係合突起３１が突設されている。このサクションカバー２５をサクションボックス８の吸い込み口２に取付けるには、嵌め込み筒部２７をシリンダ１８の筒開口部分の内周及びシリンダ押さえ２１の内周に嵌め込ませることで行われる。ここで、シリンダ１８の筒開口部分の内周には係合溝３２が穿設されており、サクションボックス８の吸い込み口２にサクションカバー２５を取付けた状態では、嵌め込み筒部２７の係合突起３１が係合溝３２に係合されるようになっている。しかして、サクションカバー２５を手で持って回転させることで、係合突起３１の係合溝３２への係合を介してシリンダ１８が従動して回転するようになっている。つまり、入浴者はその入浴中にサクションカバー２５を回転させることで、分岐水路４における吸い込み口２と一方の接続口３ａとの開閉の切り替えや開口度合いを変えたりでき、更には先述したように適度なクリック感で一方の接続口３ａの開閉を感じるようにされているので、ジェットバスの入切や強弱などの操作を簡単に行えるのであり、使い勝手のよいジェットバスシステムが構成されているのである。
【００２０】
なお、シリンダ押さえ２１の内周には、サクションカバー２５の嵌め込み筒部２７をシリンダ１８内に嵌め込む際に、係合突起３１を係合溝３２に通過させる挿通溝３３が穿設されている。この挿通溝３３の穿設位置は、シリンダ１８が接続口３を閉塞させる位置に位置したときに係合溝３２と連続するような位置に設定してあり、ジェットバスが不作動状態のときのみサクションカバー２５がサクションボックス８から取り外し可能にされるようにしている。つまり、サクションカバー２５を外した状態では吸い込み口２から浴水の吸い込みは行われないようにされており、不意の手やタオルなどのサクションボックス８内への引き込みが防止され、入浴者に対する安全性の向上が図られている。
【００２１】
上述した構成のサクション部にあっては、従来技術でも述べたが、サクションボックス８に流れる浴水の勢いなどによって、シリンダ１８と分岐水路４の周壁との間から止水蓋６を被着した他方の接続口３ｂ側にも浴水が沁み出してしまうものである。時間の経過と共にこの開閉弁５付近から沁み出した浴水は、図３に示すように、他方の接続口３ｂ内に一杯に溜められた状態になる（図中スクリーントーン部位が浴水を示している）。なお、浴槽１から浴水を抜き、吸い込み口２から一方の接続口３ａに至る分岐水路４内を浴水の無い状態にさせた場合には、開閉弁５には浴水の圧力などがかからないため、開閉弁５であるシリンダ１８と分岐水路４の内壁とはある程度の密閉性が保たれるものである。つまり、図４に示すように、浴槽１から浴水を抜いた状態でも、他方の接続口３ｂ内には浴水が略満水状態に残水していることが多々生じてしまうのである。そして、従来では、この他方の接続口３ｂ内で溜まった浴水が凍結をすることで、他方の接続口３ｂを塞ぐ止水蓋６やサクションボックス８などが破損したりすることが問題となっていたが、本例の浴槽１のサクション部の構造では、他方の接続口３ｂ内で溜まった浴水が凍結しても、止水蓋６やサクションボックス８などは破損されないようになっている。つまり、本例のサクション部には、他方の接続口３ｂ内で溜まった浴水が凍結しても止水蓋６やサクションボックス８などの破損を防止するために、止水蓋６に所定の内圧が負荷したときに該内圧を逃すように作用する圧力逃し機構７が備えられているのである。
【００２２】
ここで、止水蓋６は、図５に示すように、円盤状の蓋本体部３４の外縁から円筒状のフランジ部３５を突設させてシャーレ状に形成されており、蓋本体部３４の内面には凹没して形成される空間部３７が設けられ、フランジ部３５の内周には雌ねじ部３８が刻設されている。また、上記空間部３７を覆うように蓋本体部３４の内面には隔壁３６が設けられている。この隔壁３６は、所定の内圧が負荷したときに形状変形する変形板部３６ａと、変形板部３６ａの外縁から突設した剛壁部３６ｂとで構成されている。蓋本体部３４の内面には空間部３７の外縁に亙る溝部３９が穿設されているが、この溝部３９に剛壁部３６ｂを嵌合すると共に、変形板部３６ａで空間部３７を覆うようにして、隔壁３６は蓋本体部３４の内面に装着される。ここで、空間部３７は変形した変形板部３６ａが収まる程の体積を有している。上記圧力逃し機構７はこの隔壁３６及び空間部３７で構成されたものである。
【００２３】
上記止水蓋６は、ジェットバス装置の水路９が接続されない他方の接続口３ｂにおける雄ねじ部１４にフランジ部３５の雌ねじ部３８を螺着し、蓋本体部３４と他方の接続口３ｂとを対向配置させるようにすることで、他方の接続口３ｂに被着される。このとき、蓋本体部３４と他方の接続口３ｂとの間には、他方の接続口３ｂ側から隔壁３６及び空間部３７が介在した状態にされている。つまり、他方の接続口３ｂに被着した本例の止水蓋６は、その隔壁３６によって他方の接続口３ｂを閉塞させているのである。
【００２４】
しかして、図６に示すように、他方の接続口３ｂに略満水状態に残留した浴水が凍結した場合には、凍結した浴水の体積膨張によって隔壁３６には多大な内圧負荷がかかるものであるが、この内圧によって隔壁３６は空間部３７に入り込むように変形し、浴水の凍結による内圧を緩和させることができるのである。したがって、他方の接続口３ｂに残る浴水が凍結しても、止水蓋６やサクションボックス８にかかる内圧の上昇を抑えることができ、従来問題とされた凍結によって生じる内圧負荷による止水蓋６やサクションボックス８の破損が防止されているのである。
【００２５】
なお、本例の圧力逃し機構７は、隔壁３６を可撓性有するダイヤフラムで形成し、空間部３７を凍結した浴水の膨張体積分を収容可能な程の体積を有する空間に形成することで構成してあるが、隔壁３６は他方の接続口３ｂに液体状態で溜まった浴水の内圧によっては変形せず、他方の接続口３ｂに凍結状態で溜まった浴水の内圧によって初めて変形する程の剛性を備えるものであれば、たとえば弾性変形可能な金属板などで構成してもよいのは言うまでもない。
【００２６】
【発明の効果】
本発明の請求項１記載の発明は、叙述したように、浴槽内に開口した吸い込み口から分岐して２つの接続口に至る略Ｔ字路状の分岐水路を有し、一方の接続口にジェットバス装置の水路を接続すると共に、他方の接続口に止水蓋を被着して閉塞し、上記一方の接続口と吸い込み口との開閉を行う開閉弁を分岐水路の分岐点に配置して成るジェットバスのサクション部の構造において、止水蓋に所定の内圧がかかったときに該内圧を逃し得る圧力逃し機構を備えたので、他方の接続口に溜まった浴水が冬季などに凍結して膨張し、止水蓋や他方の接続口などにかかる内圧負荷が大きくなっても、膨張した浴水による止水蓋に負荷する内圧が所定の大きさに達した場合には、圧力逃し機構によって上記内圧を逃すことができて止水蓋や他方の接続口などにかかる内圧を緩和できるのであり、止水蓋や接続口などの破損防止を図ることができる。
【００２７】
また、本発明の請求項２記載の発明は、請求項１の効果に加え、板状の蓋本体部の外縁から筒状のフランジ部を突設して止水蓋をシャーレ状に形成し、この止水蓋を、他方の接続口の外縁にフランジ部を重ねると共に蓋本体部と他方の接続口とを対向配置させて他方の接続口に被着するようにし、上記圧力逃し機構を、蓋本体部の内面を覆うように設けた隔壁と蓋本体部の内面に凹設した空間部とで構成し、隔壁を所定の内圧が負荷したときに形状変形するようにし、空間部を形状変形した隔壁が収納されるようにしたので、このように圧力逃し機構を止水蓋に備えることができ、接続口側には何らの構成をも付加させずに済み、サクション部の構成の複雑化を回避することができる。
【図面の簡単な説明】
【図１】本発明の実施の形態の例のサクション部の水平断面図である。
【図２】同上のサクション部の分解斜視図である。
【図３】同上のサクション部に存在する浴水を説明する説明図である。
【図４】同上のサクション部に存在する浴水を説明する説明図である。
【図５】同上の止水蓋の断面図である。
【図６】同上の圧力逃し機構の作用を説明する説明図である。
【図７】従来技術の例のサクション部の水平断面図である。
【図８】従来技術の他例のサクション部の水平断面図である。
【符号の説明】
１  浴槽
２  吸い込み口
３  接続口
３ａ  一方の接続口
３ｂ  他方の接続口
４  分岐水路
５  開閉弁
６  止水蓋
７  圧力逃し機構
８  サクションボックス
９  ジェットバス装置の水路
１８  シリンダ
３６  隔壁
３７  空間部
【図１】
2004173863.tif 000003
【図２】
2004173863.tif 000004
【図３】
2004173863.tif 000005
【図４】
2004173863.tif 000006
【図５】
2004173863.tif 000007
【図６】
2004173863.tif 000008
【図７】
2004173863.tif 000009
【図８】
2004173863.tif 000010